(57)【要約】  映像メッセージ通信のための方法は、装置において受信者への映像メッセージを記録することと、前記装置においてタイプ入力することを必要とせずに、前記装置における前記映像メッセージの受信者としての連絡先を選択することと、を含む。
2015504642.tif 000002
【特許請求の範囲】
【請求項１】
映像メッセージ通信のためのコンピュータ実装方法であって、
装置において受信者への映像メッセージを記録することと、
前記装置においてタイプ入力を必要とすることなく、前記装置において前記映像メッセージの受信者としての連絡先を選択することと、を含む、前記コンピュータ実装方法。
【請求項２】
装置における映像メッセージの前記記録は、
前記装置において複数の受信者への前記映像メッセージを記録することをさらに含む、請求項１に記載のコンピュータ実装方法。
【請求項３】
前記映像メッセージの受信者としての連絡先の前記選択は、連絡先一覧内の連絡先を選択することをさらに含む、請求項１に記載のコンピュータ実装方法。
【請求項４】
前記映像メッセージの受信者としての連絡先の前記選択は、連絡先一覧内の複数の連絡先を選択することをさらに含む、請求項１に記載のコンピュータ実装方法。
【請求項５】
前記映像メッセージの前記記録は、前記受信者としての前記連絡先の前記選択の前に発生する、請求項１に記載のコンピュータ実装方法。
【請求項６】
前記映像メッセージの前記連絡先の前記選択は、前記映像メッセージの前記記録の前に発生する、請求項１に記載のコンピュータ実装方法。
【請求項７】
前記映像メッセージを前記受信者に送信することをさらに含む、請求項１に記載のコンピュータ実装方法。
【請求項８】
第２の装置のビデオ表示パラメータに基づき、前記映像メッセージをフォーマットすることをさらに含む、請求項１に記載のコンピュータ実装方法。
【請求項９】
タイムアウトに応答して前記映像メッセージを生成するように促すことをさらに含む、請求項１に記載のコンピュータ実装方法。
【請求項１０】
呼び出しの終了に応答して、前記映像メッセージを生成するように促すことをさらに含む、請求項１に記載のコンピュータ実装方法。
【請求項１１】
映像メッセージ通信のためのコンピュータ実装方法であって、
装置において受信者の映像メッセージを記録することと、
前記装置において前記映像メッセージの受信者としての連絡先を選択することと、
前記受信者の呼び出しを必要とすることなく、前記映像メッセージを前記受信者に送信することと、を含む、前記コンピュータ実装方法。
【請求項１２】
前記映像メッセージの前記記録は、前記受信者としての前記連絡先の前記選択前に発生する、請求項１１に記載のコンピュータ実装方法。
【請求項１３】
前記映像メッセージの前記連絡先の前記選択は、前記映像メッセージの前記記録の前に発生する、請求項１１に記載のコンピュータ実装方法。
【請求項１４】
映像メッセージを生成するように促すためのコンピュータ実装方法であって、
第１の装置と第２の装置の間の通信を始めることと、
所定のタイムアウトを開始することと、
前記タイムアウトの終了に応答して、前記第１の装置において映像メッセージを生成することを促すことと、を含む、前記コンピュータ実装方法。
【請求項１５】
第１の装置と第２の装置の間の通信を前記始めることは、前記第１の装置のユーザが前記第２の装置のユーザを呼び出すことをさらに含む、請求項１４に記載のコンピュータ実装方法。
【請求項１６】
映像メッセージを生成するように促すためのコンピュータ実装方法であって、
第１の装置から第２の装置への呼び出しを始めることと、
前記第１の装置において前記呼び出しを終了させることと、
前記呼び出しの終了に応答して、前記第１の装置において映像メッセージを生成するように促すことと、を含む、前記コンピュータ実装方法。
【請求項１７】
前記第１の装置における前記呼び出しの前記終了は、前記第２の装置が前記呼び出しに応答する前に、前記第１の装置における前記呼び出しを終了させることをさらに含む、請求項１６に記載のコンピュータ実装方法。
【請求項１８】
映像メッセージ通信の収益化のためのコンピュータ実装方法であって、
映像メッセージの一覧を表示することであって、前記一覧内の前記映像メッセージの第１のサブセットは再生のためにアクセス可能ではない、表示することと、
前記映像メッセージの選択を許可することと、
前記第１のサブセットの映像メッセージの選択に応答して、ユーザによって選択される前記第１のサブセットの前記映像メッセージを再生するために、アクセスを購入するように前記ユーザに促すことと、を含む、コンピュータ実装方法。
【請求項１９】
前記第１のサブセットの前記映像メッセージを再生するためにアクセスを購入するようにユーザを前記促すことは、反復的申し込みを購入するように前記ユーザに促すことをさらに含む、請求項１８に記載のコンピュータ実装方法。
【請求項２０】
前記第１のサブセットの前記映像メッセージを再生するためにアクセスを購入するようにユーザを前記促すことは、非反復的トライアル申し込みを購入するように前記ユーザに促すことをさらに含む、請求項１８に記載のコンピュータ実装方法。
【請求項２１】
前記第１のサブセットの前記映像メッセージを再生するためにアクセスを購入するようにユーザを前記促すことは、一回の有料申し込みを購入することを前記ユーザに促すことをさらに含む、請求項１８に記載のコンピュータ実装方法。
【請求項２２】
映像メッセージの再生中にコールバックするためのコンピュータ実装方法であって、
第１の装置において映像メッセージを閲覧することであって、前記映像メッセージは、第２の装置のユーザからのものである、閲覧することと、
前記映像メッセージを閲覧している間に、前記第２の装置の前記ユーザを呼び出すように前記第１の装置のユーザに促すことと、を含む、コンピュータ実装方法。
【発明の詳細な説明】
【技術分野】
【０００１】
本出願は「ＶＩＤＥＯ  ＭＥＳＳＡＧＩＮＧ」という名称で２０１１年１２月１日に出願された米国特許出願第１３／３０９，３７１号に関連し、その利益を主張し、参照によって本明細書中に組み込まれる。
【背景技術】
【０００２】
テレビ会議の参加者は、音声／映像信号を互いに送信することによって、互いに通信する。例えば、参加者は、双方向の映像および音声送信を介して同時に対話することが可能である。しかしながら、参加者は、マイクロフォンによってキャプチャされるキャプチャされた音声、およびビデオカメラによってキャプチャされる映像信号に基づくのみでは、互いに通信を行おうとしていることを十分に表現することができない場合がある。
【発明の概要】
【０００３】
概して、本書は以下を提供する。映像メッセージ通信のための方法は、装置において受信者への映像メッセージを記録することと、前記装置においてタイプ入力を必要とすることなく、前記装置において映像メッセージの受信者としての連絡先を選択することと、を含む。
【図面の簡単な説明】
【０００４】
【図１】装置の実施形態を図示する。
【図２】装置の実施形態を図示する。
【図３】装置の実施形態を図示する。
【図４】装置の実施形態を図示する。
【図５】装置の実施形態を図示する。
【図１１】装置の実施形態を図示する。
【０００５】
【図６】映像メッセージ通信のための方法の実施形態を図示する。
【図７】映像メッセージ通信のための方法の実施形態を図示する。
【０００６】
【図８】映像メッセージを生成することを促すための方法の実施形態を図示する。
【図９】映像メッセージを生成することを促すための方法の実施形態を図示する。
【０００７】
【図１０】映像メッセージの再生中にコールバックするための方法の実施形態を図示する。
【０００８】
【図１２】映像メッセージ通信の収益化のための方法の実施形態を図示する。
【０００９】
本記述において参照される図面は、具体的に注意書きがなされている場合を除き、原寸に比例して描かれてはいないことを理解されたい。
【発明を実施するための形態】
【００１０】
ここで本技術の実施形態を詳細に参照し、その例が付随する図面に図示されている。本技術は様々な実施形態（複数可）と共に記述されるが、それらは本技術をこれらの実施形態に限定する意図ではないことを理解されるだろう。反対に、本技術は代替物、修正品、および同等品を網羅することが意図されており、それらは、添付される請求項によって定義される通り、様々な実施形態の精神および範囲内に含まれ得る。
【００１１】
さらに、実施形態の以下の記述において、本技術の完全な理解を提供するために数多くの具体的詳細が明らかにされる。しかしながら、本技術はこれらの具体的詳細なしで実践され得る。他の例では、本実施形態の態様を不必要に不明瞭としないために、よく知られた方法、手順、構成要素、および回路は詳細には記述されていない。
【００１２】
図１は装置１００の実施形態を図示する。装置１００はテレビ会議に参加するために構成される。また、装置１００は映像メッセージを生成および／または受信するようにさらに構成される。
【００１３】
図２はテレビ会議に参加する装置１００および２００を図示する。一般的には、テレビ会議は多方向の映像および音声送信を介して２つ以上の場所が同時に対話することを可能とする。
【００１４】
以下の説明は最初に装置１００の構成要素を記述する。説明は次に、装置１００と２００との間のテレビ会議中の装置１００の構成要素の機能性を記述する。また、説明は、とりわけ、映像メッセージの通信を記述する。
【００１５】
装置１００および２００は、テレビ会議に参加することのできる任意の通信装置（例えば、ラップトップ、デスクトップ、スマートフォン、タブレット、ＴＶ等）である。様々な実施形態において、装置１００はスマートフォン、携帯用情報端末（ＰＤＡ）等の携帯移動式装置である。
【００１６】
さらに、明瞭さおよび簡潔さのために、説明は装置１００の構成要素および機能性に焦点を当てる。しかしながら、装置２００は装置１００と類似方法で動作する。１つの実施形態においては、装置２００は装置１００と同一であり、そして装置１００と同一の構成要素を含む。
【００１７】
装置１００は表示装置１１０、動画選択受信装置１２０、動画組み込み装置１３０、送信装置１４０、カメラ１５０、マイクロフォン１５２、およびスピーカ１５４を含む。装置１００は任意選択により全地球測位システム１６０を含む。
【００１８】
表示装置１１０は、装置２００においてキャプチャされる映像を表示するように構成される。別の実施形態においては、表示装置１１０はさらに装置１００においてキャプチャされる映像を表示するために構成される。
【００１９】
動画選択受信装置１２０は、選択可能な動画にアクセスするために構成される。選択可能な動画はテレビ会議を強化するために構成され、それは以下に詳細に記述される。
【００２０】
動画組み込み装置１３０は選択可能な動画１９０の選択をテレビ会議に組み込むように構成される。例えば、動画組み込み装置１３０は選択可能な動画を装置１００および／または装置２００でキャプチャされる映像に組み込むように構成される。１つの実施形態においては、動画組み込み装置１３０は、テレビ会議において動画の操作を可能とするように構成される動画操作装置１３５を含む。
【００２１】
送信装置１４０は、データ（例えば、動画、制御コード）を送信するためのものである。
【００２２】
任意選択により、装置１００は、ビデオカメラ１５０、マイクロフォン１５２、スピーカ１５４、全地球測位システム１６０、および連絡先一覧１７０、のうちの１つ以上を含む。
【００２３】
ビデオカメラ１５０は装置１００において映像をキャプチャするためのものである。装置１００はまた、カメラ１５０の反対側に面する、装置１００の背面上に追加のカメラ（例えば、カメラ１５１）を含み得ることを理解されたい。マイクロフォン１５２は、装置１００において音声をキャプチャするためのものである。スピーカ１５４は装置１００において音声信号を生成するためのものである。
【００２４】
全地球測位システム１６０は装置１００の場所を判定するためのものである。
【００２５】
連絡先一覧１７０は個人の名称の収集または一覧である。言い換えれば、連絡先一覧１７０はユーザ１０５のための住所録である。例えば、連絡先一覧１７０は、それらに限定されないが、ユーザ１０５の友人、隣人、雇用者、共労者、親戚、を含むことが可能である。
【００２６】
１つの実施形態においては、連絡先一覧１７０はグローバル連絡先一覧である。例えば、グローバル連絡先一覧は、グローバル連絡先一覧に一覧される複数の個人に関連する情報を含む。グローバル連絡先一覧は、ソーシャルグラフ、ソーシャルネットワークサイト、雇用者、同僚、ソーシャルグループ、教育機関等と関連されることが可能である。
【００２７】
ここで図２を参照すると、装置１００および２００が互いにテレビ会議に参加している。様々な実施形態においては、２つ以上の装置が互いにテレビ会議に参加する。
【００２８】
テレビ会議中、ビデオカメラ２５０は装置２００における映像をキャプチャする。例えば、ビデオカメラ２５０は装置２００のユーザ２０５の映像をキャプチャする。
【００２９】
ビデオカメラ１５０は装置１００において映像をキャプチャする。例えば、ビデオカメラ１５０はユーザ１０５の映像をキャプチャする。ビデオカメラ１５０および２５０はカメラ１５０および２５０のそれぞれの視野範囲内のいかなるオブジェクトもキャプチャすることを理解されたい。
【００３０】
マイクロフォン１５２は装置１００においてキャプチャされる映像信号に相当する音声信号をキャプチャする。同様に、装置２００のマイクロフォンは、装置２００におけるキャプチャされる映像信号に相当する音声信号をキャプチャする。
【００３１】
装置２００においてキャプチャされる映像は、装置１００の表示装置１１０に送信され、表示される。例えば、ユーザ２０５の映像は、表示装置１１０の第１のビュー１１２上に表示される。さらに、ユーザ２０５の映像は、表示装置２１０のビュー２１４上に表示される。
【００３２】
装置１００においてキャプチャされる映像は、装置２００の表示装置２１０に送信され、表示される。例えば、ユーザ１０５の映像は、表示装置２１０の第１のビュー２１２上に表示される。さらに、ユーザ１０５の映像は、表示装置１１０の第２のビュー１１４上に表示される。
【００３３】
１つの実施形態においては、装置１００および２００でキャプチャされる音声信号は、キャプチャされる映像に組み込まれる。別の実施形態では、音声信号は、送信される映像とは別に送信される。
【００３４】
図示されているように、第１のビュー１１２は表示装置１１０上に表示される一次ビューであり、第２のビュー１１４は表示装置１１０上に表示される小さい方の二次ビューである。様々な実施形態において、第１のビュー１１２と第２のビュー１１４のサイズは両方とも調整可能である。例えば、第２のビュー１１４を一次ビューに拡大することは可能であり、ビュー１１２のサイズを減じて二次ビューにすることが可能である。さらに、ビュー１１２および１１４のいずれか１つは、閉じるか、または完全に減じて不可視とすることができる。
【００３５】
動画選択受信装置１２０は、テレビ会議を強化するために、選択可能な動画表現の選択（例えば、動画を表現する画像）を受信することを介して、選択可能な動画１９０の選択を受信する。動画は、一連の絵またはフレームを表示することによって作成される動きのシミュレーションである。実施形態においては、装置１００において、動画自体はサーバまたは装置２００から受信可能であり、動画は異なる時点において受信可能である。例えば、動画は、強化アプリケーションが装置１００にダウンロードされるとき、ログイン中、またはリアルタイムで、また動画がテレビ会議に組み込まれるように命令されたときに受信可能である。さらに、以下に限定されないが、動画は、テレビ会議アプリケーションでダウンロードされることによって、選択肢の一部として（例えば、デジタルカタログ）後ほどダウンロードされることによって、呼び出し中にダウンロードされることによって、ユーザがアプリケーションを用いて対話するときにダウンロードされることによって、アプリケーションが更新されるときにダウンロードされることによって、受信されることが可能である。
【００３６】
図２および６に図示されている一組の選択可能な動画表現１９１（例えば、星、ヤシの木、花、雨雲）は、さまざまな動画例のいくつかにすぎない。一組の選択可能な動画表現１９１は、１つ以上の選択可能な動画表現を含み得ることを理解されたい。動画はテレビ会議を強化することのできる任意のオブジェクトであり得ることを理解されたい。言い換えれば、動画は、テレビ会議の参加者間のコミュニケーションを補足することのできる任意のオブジェクトであり得る。例えば動画は、それらに限定されないが、口づけ、ハート、絵文字、ハイタッチ、背景（プリクラのような効果）、色空間変更、および／または画像処理変更（例えば、痩せる、太る）、またはアバターであり得る。
【００３７】
可視的動画に限定されないこともまた理解されたい。例えば、動画は複数の音声のうちの１つ、または音声および映像であり得る。さらに、動画は必ずしも事前決定されていなくてもよい。例えば、動画の表示はアプリケーションのユーザとの対話の結果であってもよい。
【００３８】
１つの実施形態においては、一組の選択可能な動画表現１９１は、ユーザ１０５による閲覧のために、表示装置１１０上に表示される。例えば、一組の選択可能な動画表現１９１は、動画表示バー１９２上に表示される。１つの実施形態においては、動画表示バー１９２は第１のビュー１１２とオーバーレイされる。別の実施形態においては、動画表示バー１９２は第１のビュー１１２および／または第２のビュー１１４と同時に表示される。
【００３９】
様々な実施形態において、動画表示バー１９２は、これらに限定されないが、キー入力、カーソルの移動、タッチスクリーン上の検出されたタッチ、およびユーザによる指定された移動（例えば、表情、ウィンク、投げキッス、手振り等）等のユーザ入力に応答して表示される。
【００４０】
動画組み込み装置１３０は、テレビ会議への選択可能な動画１９０の組み込みを容易にする。１つの実施形態では、装置１００において、動画組み込み装置１３０は選択可能な動画１９０を装置２００においてキャプチャされる映像に組み込む。例えば、選択可能な動画１９０はユーザ２０５の頭の上に組み込まれる。それゆえ、図示されているように、装置２００においてキャプチャされる映像は選択可能な動画１９０と共に組み込まれ、強化された映像が少なくとも装置２００において表示される。また、組み込まれた選択可能な動画１９０により強化された映像は、装置１００において表示される。
【００４１】
１つの実施形態では、ユーザ１０５は動画表示バー１９２内の選択可能な動画１９０を選択し、そして選択可能な動画１９０をユーザ１０５により指定された場所（例えば、第１のビュー１１２に表示されるように、ユーザ２０５の頭の上）までドラッグし、それを配置する。指定された場所に配置されると、動画組み込み装置１３０は動画を指定された場所に組み込む。
【００４２】
別の実施形態では、動画組み込み装置１３０は制御コードを生成する。この制御コードは、選択可能な動画１９０が装置２００においてキャプチャされる映像内にどのように組み込まれるかを命じる。
【００４３】
例えば、制御コードを直接装置２００に送信し、装置２００において表示される映像に、どのように選択可能な動画１９０が組み込まれるかを装置２００に対して命じることが可能である。そのような例では、制御コードは装置２００に対し、選択可能な動画１９０がテレビ会議において表示されるという信号を送る、または命じる。別の例では、制御コードはサーバに送信され、次に装置２００はサーバおよび／または対応する動画から制御コードを受信する。
【００４４】
図２は、テレビ会議に組み込まれた選択可能な動画１９０を図示する。しかしながら、任意の数の選択可能な動画を任意の時点においてテレビ会議に組み込み可能であることを理解されたい。例えば、一組の選択可能な動画表現から選択される選択可能な動画表現により表現される５つの異なる動画は、同時にテレビ会議に組み込まれ得る。
【００４５】
本明細書中に使用される用語「組み込む」は、選択可能な動画１９０がテレビ会議の一部分と共に単に表示されることを記述するために使用されることを理解されたい。したがって、選択可能な動画１９０は単にテレビ会議の一部分と同時に表示される。したがって、選択可能な動画１９０は映像に組み込まれることが理解される。しかしながら、選択可能な動画１９０はビデオストリームと統合されるか、またはその一部とされるとは理解されない。
【００４６】
１つの実施形態においては、選択可能な動画１９０はオーバーレイとして映像上に重ねられる。したがって、選択可能な動画１９０は装置１００および２００上に表示されるオーバーレイとして、同時に重ねられる。例えば、選択可能な動画１９０はビュー１１２およびビュー２１４内に表示される映像上に（図２に描かれるように）同時にオーバーレイされ、そして選択可能な動画はビュー１１４およびビュー２１２内に表示される映像上に（図６に描かれるように）同時にオーバーレイされることが可能である。
【００４７】
別の実施形態では、選択可能な動画１９０はテレビ会議のビットストリームに統合される。
【００４８】
別の例においては、選択可能な動画１９０はビュー１１２およびビュー２１２に表示される映像上に同時にオーバーレイされる。また、選択可能な動画１９０は装置におけるビューから独立して表示装置の一部分に表示され、双方向映像がアクティブであることを必要としない（例えば一方向映像がアクティブであり得る）。
【００４９】
本明細書に記述される様々な実施形態は、互いの組み合わせにおいても使用可能であることに注目されたい。すなわち、１つの記述された実施形態は１つ以上の他の記述された実施形態と組み合わせて使用可能である。
【００５０】
１つの実施形態では、送信装置１４０はその後、選択可能な動画１９０を含む映像が表示装置２１０上に表示されるように、装置２００においてキャプチャされ、すでに選択可能な動画１９０を含んだ映像を装置２００（以下、「第２の装置２００」とも別称される）に送信する。別の実施形態では、送信装置１４０は制御コードを装置２００（またはサーバ）に送信し、選択可能な動画１９０がテレビ会議にどのように組み込まれるかを装置２００に対して命じる。
【００５１】
動画操作装置１３５は、組み込まれた選択可能な動画１９０を操作する。１つの実施形態では、選択可能な動画１９０は装置１００において操作される。例えば、タッチスクリーンにおけるユーザの入力に応答して、ユーザ１０５は選択可能な動画１９０を時計方向に回転させる。その結果、装置２００においてキャプチャされた（そして装置１００および／または装置２００上に表示された）映像は、選択可能な動画１９０が時計方向に回転するように強化される。
【００５２】
別の実施形態では、選択可能な動画１９０は装置２００において操作される。例えば、ユーザ２０５が頭を左から右へ動かすことに応答して、選択可能な動画１９０はユーザ２０５の頭の動きにつれて左から右に動くように（装置２００の動画操作装置を介して）操作される。その結果、装置２００においてキャプチャされた（そして装置１００および／または装置２００上に表示された）映像は、選択可能な動画１９０が左から右に動かされるように、強化される。
【００５３】
さらなる実施形態では、選択可能な動画１９０は装置１００および装置２００において同時に操作される。例えば、ユーザ２０５が頭を左から右へ動かし、ユーザ１０５は選択可能な動画１９０を回転させる（前述のように）ことに応答して、選択可能な動画１９０は、ユーザ２０５の頭の動きにつれて左から右へ同時に動き、そしてユーザ１０５からの入力に応答して回転するように操作される。その結果、装置２００においてキャプチャされた（そして装置１００および／または装置２００上に表示された）映像は、選択可能な動画１９０が時計方向に回転している間に左から右に動かされるように強化される。
【００５４】
さらなる実施形態において、選択可能な動画１９０は方向付操作をされる。例えば、ユーザ１０５は「パンチ」動画（例えば、こぶし、ボクシングのグローブ）をユーザ２０５に送信する。結果、ユーザ１０５は「パンチ」動画が表示装置１１０内に入っていくのを見、そしてユーザ２０５は「パンチ」動画が表示装置２１０から出てくるのを見る。
【００５５】
動画は多様な入力に応答して操作されることを理解されたい。例えば、動画は音、ジェスチャ、表情、動き等を介して操作可能である。様々な例としては、ユーザのウィンクに応答して動画（例えば、星）がユーザの目から出ていき、また、ユーザの口づけに応答して赤い唇がユーザの口から飛び出てくる。
【００５６】
１つの実施形態では、前述のように、少なくとも様々な入力の１つが発生するまで、一組の選択可能な動画表現１９１は表示装置１１０および／または動画表示バー１９２上に表示されない。例えば、ハートの動画はタッチスクリーン上にタップがあるまでは表示されない。
【００５７】
任意の数の動画は、アクセスされ、および／または選択されてテレビ会議に組み込まれることが可能である。１つの実施形態では、一組の選択可能な動画表現１９１は地理関連動画である。例えば、一組の選択可能な動画１９１は装置１００および／または２００の場所に基づく。
【００５８】
具体的には、装置１００がハワイに位置する場合、一組の選択可能な動画表現１９１はその場所に関連する。例えば、地理関連動画は、ＧＰＳ１６０から判定されたハワイにおける場所に基づき、サーフボード、太陽、ヤシの木、ココナッツ等であり得るが、これらに限定されない。
【００５９】
場所の判定は様々な方法によって提供可能であることを理解されたい。例えば、装置の場所の判定は、登録時にユーザによって提供される情報、装置のＩＰアドレス、または場所判定に使用可能な任意の他の方法に基づくことが可能である。
【００６０】
別の実施形態では、一組の選択可能な動画１９１は、テレビ会議の時間に基づく時間関連動画である。例えば、テレビ会議がクリスマスの日またはその前後に行われる場合、動画はクリスマスに関連するであろう（例えば、靴下、クリスマスツリー、お菓子の杖等）。別の例では、テレビ会議が夜行われる場合には、動画は夜に関連するであろう（例えば、月、星、パジャマ等）。
【００６１】
さらなる実施形態においては、一組の選択可能な動画表現１９１は文化関連動画である。例えば、ユーザ１０５および／または２０５がカナダに位置する場合は、選択可能な動画表現のセット１９１は、これらには限定されないが、カナダ国旗、ホッケーのパック、カーリング用ストーン等であろう。
【００６２】
さらに別の実施形態においては、一組の選択可能な動画表現１９１は口座の状態に基づいて利用可能および／またはアクセスされる。例えば、ユーザ１０５は一組の選択可能な動画表現１９１にアクセスするための支払い口座を有する。もしもユーザ１０５がその口座に対して十分な支払いを提供した場合には、ユーザ１０５は一組の選択可能な動画表現１９１にアクセスできる。反対に、ユーザがその口座に対して十分な支払いを提供しなかった場合には、ユーザ１０５は一組の選択可能な動画表現１９１にアクセスできない。
【００６３】
さらに、動画の使用および選択は、イベント、休日、特別な機会等に具体的に関連し得る。休日は、これらに限定されないが、宗教的休日（例えば、クリスマス、イースター、贖罪の日等）、国の休日（例えば、新年、ワシントン大統領誕生日、戦没将兵追悼記念日等）または任意の他の振替休日（公式または非公式）であり得る。イベントまたは特別な機会は、これらに限定されないが、誕生日、記念日、卒業式、結婚式、就職、退職等であり得る。
【００６４】
例えば、感謝祭当日またはその前後において、七面鳥、かぼちゃパイ、巡礼者等の動画が選択および／または使用される。別の例では、聖パトリックの祭日またはその前後において、クローバー、金のポット、および小妖精の動画が選択および／または使用される。さらなる例においては、イースター当日またはその前後において、イースターのうさぎおよびイースターの卵の動画が選択および／または使用される。
【００６５】
１つの実施形態において、ユーザはイベント、休日、特別な機会等に具体的に関連する動画を利用するように促される。例えば、米国独立記念日またはその前後において、ユーザは米国独立記念日に具体的に関連する動画（例えば、花火）を選択および／または使用するように促される。具体的には、ユーザに動画が提供され、そしてそのユーザはその動画をテレビ会議中の別のユーザに送信するように促される。言い換えれば、動画はテレビ会議に組み込まれる。
【００６６】
別の実施形態では、ユーザは、当事者間の関係が疑わしい、既知である、または推察される別のユーザに動画を送信するように促され得る。例えば、母親が息子とテレビ会議を通して話している。もしも母／息子の関係が疑わしい、既知である、または推察される場合には、息子は母の日に具体的に関連する動画（例えば、花）を利用するように促される。
【００６７】
関係は様々な方法で判定可能である。例えば、関係は、これらには限定されないが、苗字、ユーザの場所、通話記録等に基づいて判定可能である。
【００６８】
さらに、息子は、「これはあなたの母親であると思われる。正しいか？」等のメッセージで促され得る。したがって、息子が、彼が母親と話していると返答した場合には、息子は母の日に具体的に関連する動画オブジェクト（例えば、花）を利用するように促される。
【００６９】
動画は収入源を強化可能であることもまた理解されたい。例えば、１００，０００個の動画がバレンタインデーに使用され、各動画について＄０．５０の料金である。その結果、バレンタインデーには＄５０，０００の料金が蓄積される。
【００７０】
図３は映像メッセージを生成するために利用される装置１００の実施形態を図示する。例えば、ユーザ１０５はカメラ１５０によってキャプチャされた映像メッセージを記録する。映像メッセージは、「メリークリスマス」と話すユーザ１０５の映像（第１のビュー１１２に図示されるように）を含む。
【００７１】
図４は、連絡先一覧１７０を表示する装置１００の実施形態を図示する。前述の例を続けると、ユーザ１０５は映像メッセージの１人の受信者または複数の受信者として、連絡先一覧１７０内の１つの連絡先または複数の連絡先を選択できる。いったん選択が行われると、ユーザ１０５は選択された連絡先（複数可）に映像メッセージを「送信」可能である。例えば、送信装置１４０は映像メッセージをユーザ２０５の装置２００に送信する。
【００７２】
１つの連絡先（または複数の連絡先）は、装置１００においてタイプ入力を必要とすることなく、映像メッセージの選択された受信者であり得ることを理解されたい。例えば、ユーザ１０５は連絡先一覧１７０をスクロールし、映像メッセージが誰に送信されるかを選択し得る。したがって、ユーザ１０５は、映像メッセージの受信者を選択するために、そしてその後に映像メッセージを送信するために、電話番号、ｅメールアドレス、名前等をタイプ入力することを必要とされない。
【００７３】
１つの実施形態において、ユーザ１０５はユーザ２０５に電話をかけることを試みる。例えば、ユーザ１０５は連絡先一覧１７０上でユーザ２０５を選択し、彼の電話（例えば、装置２００）でユーザ２０５に電話することを試みる。しかしながら、様々な理由の１つにより、その電話は達成されない。例えば、ユーザ２０５は忙しく、電話に出ないことを選択する、ネットワークシステムが故障している、ユーザ２０５は呼び出しが行われていることに気づかない、等である。
【００７４】
したがって、呼び出しに対して返答がなされないため、ユーザ１０５は呼び出しを終了する（例えば、「終了」を押すことにより）。その結果、プロンプト３１０が表示される。プロンプト３１０は、ユーザ１０５に対して映像メッセージを残すように促すためのものである。例えば、プロンプト３１０は、「映像メッセージを残しますか？」と述べる。もしもユーザ１０５が「いいえ」を選択した場合は、映像メッセージは作成されない。しかしながら、ユーザ１０５が「はい」を選択する場合は、ユーザ１０５は前述のように、ユーザ２０５のために映像メッセージを生成する。
【００７５】
本明細書中で使用される用語「プロンプト」とは、行われ得る行為をユーザに提案または思い出させる働きをする任意の機能性であり得ることを理解されたい。１つの実施形態では、プロンプトは、行われる得る行為を提案するポップアップであり得る。ポップアップは、ユーザによるキー入力または別の行為に応答して表れ得る。別の実施形態では、プロンプトは文章を表示するボタン等（これはポップアップではない）であり得る。ボタン等は、ユーザに対して提示される特定の画面全体にわたって表示され得る。
【００７６】
１つの実施形態では、ユーザ１０５はユーザ２０５に電話をかける。この電話に応答して、所定のタイムアウトが開始される。例えば、６０秒のタイムアウトが開始される。タイムアウトの終了時に、呼び出しに対して応答がなされない場合は、プロンプト３１０が表示される。
【００７７】
別の実施形態では、ユーザ１０５は呼び出しあるいは別のユーザとの通信の開始を必要とせずに、映像メッセージを生成する。例えば、ユーザ１０５はユーザ２０５に映像メッセージを残すことを希望する。ユーザ１０５は次に映像メッセージを簡単に作成し、その後、装置２００上でユーザ２０５への呼び出しを試みることなく、メッセージをユーザ２０５に送信する。
【００７８】
図５は、映像メッセージを表示する装置２００の実施形態を図示する。例えば、ユーザ２０５はユーザ１０５によって送信された映像メッセージを受信し、閲覧する。映像メッセージの再生中、プロンプト５１０が表示される。プロンプト５１０は、映像メッセージの閲覧中にユーザ１０５を呼び出すようにユーザ２０５に促すためのものである。例えば、プロンプト５１０は「Ｊｏｈｎ  Ｄｏｅを呼び出しますか？」と述べる。ユーザ２０５が「はい」を選択した場合には、ユーザ１０５（すなわち、Ｊｏｈｎ  Ｄｏｅ）に電話がかけられ、ユーザ２０５とユーザ１０５はリアルタイムの会話をし得る。
【００７９】
図６および７は、映像メッセージ通信のための方法６００および７００の実施形態を図示する。様々な実施形態において、方法６００および７００は、コンピュータ可読およびコンピュータ実行可能命令の制御の下で、処理装置および電気的構成要素によって実行される。コンピュータ可読およびコンピュータ実行可能命令は、例えば、コンピュータが使用可能な揮発性および非揮発性メモリ等のデータ記憶媒体内に常駐する。しかしながら、コンピュータ可読およびコンピュータ実行可能命令は、あらゆるタイプのコンピュータ可読記憶媒体内に常駐し得る。いくつかの実施形態では、方法６００および７００は少なくとも装置１００および／または２００によって実施される。
【００８０】
方法６００の６１０において、映像メッセージが受信者のために記録される。例えば、ユーザ１０５は映像メッセージを装置１００において記録する。映像メッセージは、装置２００においてユーザ２０５に対して送信され、受信されることを意図されている。映像メッセージはカメラ１５０またはカメラ１５１を介してキャプチャされることが可能であることを理解されたい。したがって、映像メッセージはユーザ１０５の映像を含むことが可能であり、あるいは、ユーザ１０５の映像は含まないかもしれない。特に、映像メッセージはユーザ１０５の近くにある他の物体または周囲物の映像を含むことが可能である。
【００８１】
１つの実施形態では、６１２において、映像メッセージが複数の受信者のために記録される。例えば、ユーザ１０５によってキャプチャされた映像メッセージは、ユーザ１０５の連絡先一覧１７０内の複数の人々のために意図されている。
【００８２】
６２０において、装置におけるタイプ入力を必要とせず、装置において映像メッセージの受信者としての連絡先が選択される。例えば、ユーザ１０５は映像メッセージの受信者としてユーザ２０５を選択する。特に、ユーザ１０５は連絡先一覧１７０内の「連絡先１」をスクロールし、装置１００においてタイプ入力を必要とせず、連絡先１を選択する。言い換えれば、ユーザ１０５は、送信される映像メッセージの受信者を選択するために、名前、電話番号、または他の任意の文章を装置１００においてタイプ入力することを必要とされない。
【００８３】
１つの実施形態では、映像メッセージの記録は、映像メッセージの受信者としての連絡先を選択する前に発生する。別の実施形態では、映像メッセージの受信者としての連絡先を選択することは、映像メッセージの記録の前に発生する。
【００８４】
１つの実施形態では、６１２において、連絡先一覧から連絡先が選択される。例えば、連絡先２は映像メッセージの受信者として選択される。
【００８５】
別の実施形態では、６１４において、映像メッセージの受信者として、連絡先一覧内の複数の連絡先が選択される。例えば、ユーザ１０５は、「メリークリスマス」と言っているユーザ１０５を含む映像メッセージの受信者として、連絡先１〜３を選択する。
【００８６】
６２５において、映像メッセージは受信者に送信される。例えば、装置１００においてキャプチャされた映像メッセージは、ユーザ２０５によって閲覧できるように、送信装置１４０によって装置２００に送信される。特に、映像メッセージは、ユーザ１０５が「送信する」等の表示をするボタンを押すことに応答して、送信される。
【００８７】
６３０において、映像メッセージは、第２の装置の映像表示パラメータに基づいている。様々な実施形態では、当技術分野において周知の、トランスコーディング方法が映像メッセージのコード変換を行うために利用され、映像メッセージは別の装置からの映像メッセージを受信する装置上で正しく閲覧される。例えばトランスコーディングは、映像メッセージが正しい形式（例えば、サイズ、方向等）となることを可能とし、正しく閲覧されるようにする。
【００８８】
６３６において、映像メッセージの生成が、タイムアウトに応答して促される。例えば、ユーザ１０５がユーザ２０５を呼び出すと、６０秒のタイムアウトが開始される。呼び出しがタイムアウト終了時までに応答されない場合には、プロンプト３１０が表示されてユーザ１０５に対しユーザ２０５のための映像メッセージを生成するように促す。
【００８９】
方法７００の７１０において、映像メッセージが受信者のために記録される。例えば、ユーザ１０５は装置１００において映像メッセージを記録し、ユーザ２０５が装置２００において映像メッセージを閲覧できるようにする。
【００９０】
７２０において連絡先は映像メッセージの受信者である。例えば、ユーザ１０５は装置１００において、映像メッセージの受信者として、ユーザ２０５を選択する。
【００９１】
１つの実施形態では、映像メッセージの記録は、映像メッセージの受信者としての連絡先の選択の前に発生する。別の実施形態では、映像メッセージの受信者としての連絡先の選択は、映像メッセージの記録の前に発生する。
【００９２】
７３０において、映像メッセージは受信者を呼び出す必要なく、受信者に送信される。例えば、ユーザ１０５はユーザ２０５を呼び出す必要なく、映像メッセージを記録し、その後にユーザ２０５に送信し得る。本明細書中で使用される用語「呼び出す」または「電話をかける」とは、第１の装置のユーザが第２の装置のユーザとリアルタイムで通信していることを言う。例えば、ユーザ１０５およびユーザ２０５は装置１００および２００を介して、リアルタイムのテレビ会議または電話による会話を行っている。
【００９３】
図８および９は、映像メッセージを生成するように促すための方法８００および９００の実施形態を図示する。様々な実施形態では、方法８００および９００がコンピュータ可読およびコンピュータ実行可能命令の制御の下で、処理装置および電気的構成要素によって実行される。コンピュータ可読およびコンピュータ実行可能命令は、例えば、コンピュータが使用可能な揮発性および非揮発性メモリ等のデータ記憶媒体内に常駐する。しかしながら、コンピュータ可読およびコンピュータ実行可能命令は、あらゆるタイプのコンピュータ可読記憶媒体内に常駐し得る。いくつかの実施形態では、方法８００および９００は少なくとも装置１００および／または２００によって実施される。
【００９４】
方法８００の８１０において、第１の装置と第２の装置との間で通信が開始される。例えば、装置１００を使用するユーザ１０５は、装置２００を使用するユーザ２０５に対して電話を掛けることを開始する。
【００９５】
８２０において、所定のタイムアウトが開始される。例えば、ユーザ２０５を呼び出すユーザ１０５に応答して、９０秒のタイムアウトが開始される。
【００９６】
８３０において、タイムアウトの終了時に応答して、第１の装置において映像メッセージを生成するようにプロンプトが表示される。例えば、ユーザ２０５が９０秒後にユーザ１０５からの呼び出しに応答しない、それに応じて、ユーザ２０５のための映像メッセージをユーザ１０５が生成するように促すプロンプト３１０が表示される。
【００９７】
方法９００の９１０において、第１の装置から第２の装置に対して呼び出しが開始される。例えば、装置１００からの電話呼び出しが、装置２００に対して行われる。
【００９８】
９２０において、第１の装置において呼び出しが終了する。例えば、ユーザ２０５はユーザ１０５からの電話呼び出しに応えない。したがって、ユーザ１０５は電話を切って（例えば、「終了」を押して）呼び出しを終了させる。
【００９９】
９３０において、呼び出しの終了に応答して、第１の装置において映像メッセージを生成するようにプロンプトが表示される。例えば、ユーザ１０５の電話呼び出しの終了に応答して、ユーザ１０５に対してユーザ２０５のための映像メッセージを生成するように促す、プロンプト３１０が表示される。
【０１００】
図１０は、映像メッセージの再生中にコールバックするための方法１０００の実施形態を図示する。様々な実施形態では、方法１０００は、コンピュータ可読およびコンピュータ実行可能命令の制御の下に、処理装置および電気的構成要素によって実行される。コンピュータ可読およびコンピュータ実行可能命令は、例えば、コンピュータが使用可能な揮発性および非揮発性メモリ等のデータ記憶媒体内に常駐する。しかしながら、コンピュータ可読およびコンピュータ実行可能命令は、あらゆるタイプのコンピュータ可読記憶媒体内に常駐し得る。いくつかの実施形態では、方法１０００は少なくとも装置１００および／または２００によって実施される。
【０１０１】
方法１０００の１０１０において、映像メッセージが第１の装置において閲覧され、その映像メッセージは第２の装置のユーザからのものである。例えば、ユーザ２０５は装置２００において、ユーザ１０５からの映像メッセージを閲覧する。
【０１０２】
１０２０において、第１の装置のユーザは、映像メッセージを閲覧中に、第２の装置の前記ユーザを呼び出すように促される。例えば、ユーザ２０５は、ユーザ２０５がユーザ１０５からの映像メッセージを閲覧中に、ユーザ１０５にコールバックするようにプロンプト５１０によって促される。
【０１０３】
図１１は映像メッセージの一覧の実施形態を図示する。例えば、ユーザ１０５は映像メッセージの受信者である。したがって、映像メッセージの一覧１１１０は装置１００上に表示され得る。映像メッセージの一覧は、映像メッセージ等を送った人物の名前による、経時順で一覧であり得る。
【０１０４】
１つの実施形態では、各映像メッセージは、メッセージを送った人物の名前によって一覧にされ得る。例えば、映像メッセージ１は「Ｊａｎｅ  Ｄｏｅ」として一覧にされ、その理由は、Ｊａｎｅ  Ｄｏｅから送られたからであり、一方、映像メッセージ２は「Ｊｏｈｎ  Ｄｏｅ」として一覧にされ、その理由は、Ｊｏｈｎ  Ｄｏｅからそれが送られたからである。
【０１０５】
映像メッセージはユーザ１０５によって選択され得る。例えば、ユーザ１０５は映像メッセージの一覧をスクロールし、再生されることが望まれる特定のメッセージを選択する。
【０１０６】
１つの実施形態では、すべての映像メッセージがアクセス可能である。すなわち、特定の映像メッセージを選択するユーザに応答して、どの映像メッセージも再生のために選択され得る。
【０１０７】
別の実施形態では、映像メッセージのサブセット１１１０は、再生のためにアクセスはできない。映像メッセージのサブセット１１１０は一覧にされているが、再生のためには利用できない。例えば、直近の３つの映像メッセージのみが利用可能である。したがって、ユーザ１０５は、即時再生するために、直近の３つの映像のいずれかを選択し得る。
【０１０８】
しかしながら、映像メッセージのいかなるサブセット（例えば、映像メッセージ４〜映像メッセージｎ）も即時再生のためにアクセスし得ない。映像メッセージのサブセット内のいずれかの映像メッセージが選択された場合は、プロンプト１１２０が表示され、ユーザ１０５に対し、選択された映像メッセージまたは映像メッセージのサブセット内の任意の他の映像メッセージに対するアクセスを購入するように促される。
【０１０９】
別の実施形態では、映像メッセージのサブセット内のいずれかの映像メッセージが選択された場合は、購入画面が表示され、ユーザ１０５は選択された映像メッセージまたは映像メッセージのサブセット内の任意の他の映像メッセージに対するアクセスを購入し得る。
【０１１０】
映像メッセージのサブセットは、他の映像メッセージから視覚的に区別可能であり得る。例えば、３つの直近のメッセージは黒いフォントで、一方その次の映像メッセージは「グレーアウト」であり得る。別の例では、５つの直近の映像メッセージとその次の映像メッセージとの間に線が表示され得、５つの直近のメッセージは即時再生のために利用可能であるが、一方、その次の映像メッセージは即時再生のためにアクセス可能ではないことを表示する。
【０１１１】
図１２は、映像メッセージ通信の収益化のための方法１２００の実施形態を図示する。様々な実施形態では、方法１２００は、コンピュータ可読およびコンピュータ実行可能命令の制御の下で、処理装置および電気的構成要素によって実行される。コンピュータ可読およびコンピュータ実行可能命令は、例えば、コンピュータが使用可能な揮発性および非揮発性メモリ等のデータ記憶媒体内に常駐する。しかしながら、コンピュータ可読およびコンピュータ実行可能命令は、任意のタイプのコンピュータ可読記憶媒体内に常駐し得る。いくつかの実施形態では、方法１２００は少なくとも装置１００および／または２００によって実施される。
【０１１２】
方法１２００の１２１０において、映像メッセージの一覧が表示され、一覧内の映像メッセージの第１のサブセットは、再生のためにアクセス可能ではない。例えば、映像メッセージ１１１０の一覧が表示される。特に、映像メッセージの第１のサブセット（例えば、映像メッセージ４〜映像メッセージｎ）が一覧にされるが、しかしながら、それらは即時再生のためにアクセス可能ではない。
【０１１３】
１２２０において、映像メッセージの選択が可能である。例えば、任意の一覧にされた映像メッセージが再生のために選択可能である。しかしながら、いくつかの映像メッセージは一覧にされるが、しかし即時再生のためにアクセス可能ではないかもしれない。
【０１１４】
１２３０において、第１のサブセットの映像メッセージを選択することに応答して、ユーザによって選択された第１のサブセットの映像メッセージの再生に対するアクセスを購入するように、ユーザは促される。例えば、ユーザ１０５が映像メッセージ４〜映像メッセージｎのうちの、任意の、いくつかの、またはすべてを選択した場合、ユーザ１０５は、即時再生のためにアクセス可能ではない映像メッセージの第１のサブセット内の選択された映像メッセージに対するアクセスを購入するように、プロンプト１１２０によって促される。そのような例では、プロンプトは「今すぐ入手」と表示されたボタンを伴う「１ヶ月＄４．９９」と表示する。ユーザがボタンを選択した場合、ユーザは＄４．９９の月極めプランを購入し、前述のように、映像メッセージの第１のサブセット内の映像メッセージに対するアクセスを取得する。したがって、映像メッセージの管理のサービスプロバイダは、＄４．９９を受け取る。
【０１１５】
１つの実施形態では、１２３２において、ユーザは反復的申し込みを購入するように促される。例えば、ユーザは、映像メッセージのすべてに対してアクセスするための反復的年間申し込みを購入するように促される。
【０１１６】
別の実施形態では、１２３４において、ユーザは非反復的トライアル申し込みを購入するように促される。例えば、ユーザ１０５は映像メッセージのすべての即時再生にアクセスするための、非反復的１０日間トライアルを購入するように促される。
【０１１７】
さらなる実施形態では、１２３５において、ユーザは一回の有料申し込みを購入するように促される。例えば、ユーザ１０５は映像メッセージのすべての即時再生にアクセスするための、１回の有料申し込みを購入するように促される。
【０１１８】
１つの実施形態では、映像メッセージは、ユーザの個人的媒体ライブラリに転送またはダウンロードするために選択され得る。例えば、ユーザ１０５は任意の映像メッセージを彼の個人的映像ライブラリに転送されるように選択する。そのような例では、ユーザは彼の個人的媒体ライブラリに選択された映像メッセージを転送する性能を購入するように促され得る。
【０１１９】
前述のように、収益化は映像メッセージに限定されないことを理解されたい。例えば、収益化は装置１００および／または２００によって使用される他の特徴／サービスに適用されることが可能である。１つの実施形態では、選択可能な動画１９０は装置１００および２００間の呼び出しにおいて使用するために購入され得る。
【０１２０】
このように、１つ以上の動画によるテレビ会議の強化のための方法の収益化は、装置１００および／または２００のユーザに対し、購入のために利用可能なそれらの動画特徴を知らせることを含む。様々な実施形態はユーザが希望するおよび便利な選択を行うことを可能とする、ユーザインターフェースにオーバーレイされる一連の選択可能なタブを提供することを含む。これらの選択肢は、以下のものに限定されないが、ある特定の期間のための特定金額のパッケージに申し込みすること、および無料動画「事前トライアル」を受諾することを含む。概して、申し込みに関する選択可能な選択肢が生成され、装置１００／２００のユーザに通信されるが、いくつかの実施形態においては、それはテレビ会議の最後においてである。本明細書中に記述されるように、ユーザが特定の動画にアクセスする必要な申し込みを有しないと判定された場合には、選択可能な画像上に詳細に述べられる購入情報を介して、申し込みの提示がユーザに対して行われる。
【０１２１】
このように様々な実施形態が記述される。特定の実施形態が記述されてきたが、実施形態はそのような記述によって限定されると解釈されるべきではなく、以下の請求項に従って解釈されるべきであることを理解されたい。
【０１２２】
本明細書中に記述されるすべての要素、部分、およびステップは、望ましいものとして含まれている。当業者には明瞭なことではあるが、これらの要素、部分、およびステップのいずれも他の要素、部分、およびステップにより置き換えられてもよく、あるいはすべて削除されてもよいことを理解されたい。
【０１２３】
当業者は理解するであろうが、本記述内で述べられる方法ステップは、それらには限定されないが、処理装置、少なくともキーボード、マウス、スキャナ、カメラを備える入力装置、少なくとも表示装置および印刷機を備える出力装置を含むハードウエアによって実行し得る。方法ステップは、必要時には、適切な装置によって実行される。例えば、決定ステップは、決定アルゴリズムを実装することにより、処理装置内の決定−実施ユニットによって実行可能である。当業者は理解するであろうが、この決定−実施ユニットは物理的にまたは効果的に、例えば、前記決定アルゴリズムを実行するときにコンピュータの処理装置内に存在可能である。上述の分析は、本明細書中に記述される他のステップに適用される。
【０１２４】
概念
本明細書において、少なくとも以下の概念を提示する。
概念１．映像メッセージ通信のためのコンピュータ実装方法であって、
装置において受信者への映像メッセージを記録することと、
前記装置においてタイプ入力を必要とすることなく、前記装置において前記映像メッセージの受信者としての連絡先を選択することと、を含む、前記コンピュータ実装方法。
概念２．装置における映像メッセージの前記記録は、
前記装置において複数の受信者への前記映像メッセージを記録することをさらに含む、概念１に記載のコンピュータ実装方法。
概念３．前記映像メッセージの受信者としての連絡先の前記選択は、連絡先一覧内の連絡先を選択することをさらに含む、概念１または２に記載のコンピュータ実装方法。
概念４．前記映像メッセージの受信者としての連絡先の前記選択は、連絡先一覧内の複数の連絡先を選択することをさらに含む、概念１または２に記載のコンピュータ実装方法。
概念５．前記映像メッセージの前記記録は、前記受信者としての前記連絡先の前記選択の前に発生する、概念１〜４のいずれか１つに記載のコンピュータ実装方法。
概念６．前記映像メッセージの前記連絡先の前記選択は、前記映像メッセージの前記記録の前に発生する、概念１〜５のいずれか１つに記載のコンピュータ実装方法。
概念７．前記映像メッセージを前記受信者に送信することをさらに含む、概念１〜６のいずれか１つに記載のコンピュータ実装方法。
概念８．第２の装置のビデオ表示パラメータに基づき、前記映像メッセージをフォーマットすることをさらに含む、概念１〜７のいずれか１つに記載のコンピュータ実装方法。
概念９．タイムアウトに応答して前記映像メッセージを生成するように促すことをさらに含む、概念１〜８のいずれか１つに記載のコンピュータ実装方法。
概念１０．呼び出しの終了に応答して、前記映像メッセージを生成するように促すことをさらに含む、概念１〜８のいずれか１つに記載のコンピュータ実装方法。
概念１１．映像メッセージ通信のためのコンピュータ実装方法であって、
装置において受信者への映像メッセージを記録することと、
前記装置において前記映像メッセージの受信者としての連絡先を選択することと、
前記受信者の呼び出しを必要とすることなく、前記映像メッセージを前記受信者に送信することと、を含む、コンピュータ実装方法。
概念１２．前記映像メッセージの前記記録は、前記受信者としての前記連絡先の前記選択前に発生する、概念１１に記載のコンピュータ実装方法。
概念１３．前記映像メッセージの前記連絡先の前記選択は、前記映像メッセージの前記記録の前に発生する、概念１１または１２に記載のコンピュータ実装方法。
概念１４．映像メッセージを生成するように促すためのコンピュータ実装方法であって、
第１の装置と第２の装置の間の通信を始めることと、
所定のタイムアウトを開始することと、
前記タイムアウトの終了に応答して、前記第１の装置において映像メッセージを生成することを促すことと、を含む、前記コンピュータ実装方法。
概念１５．第１の装置と第２の装置の間の通信を前記始めることは、前記第１の装置のユーザが前記第２の装置のユーザを呼び出すことをさらに含む、概念１４に記載のコンピュータ実装方法。
概念１６．映像メッセージを生成するように促すためのコンピュータ実装方法であって、
第１の装置から第２の装置への呼び出しを始めることと、
前記第１の装置において前記呼び出しを終了させることと、
前記呼び出しの終了に応答して、前記第１の装置において映像メッセージを生成するように促すことと、を含む、前記コンピュータ実装方法。
概念１７．前記第１の装置における前記呼び出しの前記終了は、前記第２の装置が前記呼び出しに応答する前に、前記第１の装置における前記呼び出しを終了させることをさらに含む、概念１６に記載のコンピュータ実装方法。
概念１８．映像メッセージ通信の収益化のためのコンピュータ実装方法であって、
映像メッセージの一覧を表示することであって、前記一覧内の前記映像メッセージの第１のサブセットは再生のためにアクセス可能ではない、表示することと、
前記映像メッセージの選択を許可することと、
前記第１のサブセットの映像メッセージの選択に応答して、ユーザによって選択される前記第１のサブセットの前記映像メッセージを再生するために、アクセスを購入するように前記ユーザに促すことと、を含む、コンピュータ実装方法。
概念１９．前記第１のサブセットの前記映像メッセージを再生するためにアクセスを購入するようにユーザを前記促すことは、反復的申し込みを購入するように前記ユーザに促すことをさらに含む、概念１８に記載のコンピュータ実装方法。
概念２０．前記第１のサブセットの前記映像メッセージを再生するためにアクセスを購入するようにユーザを前記促すことは、非反復的トライアル申し込みを購入するように前記ユーザに促すことをさらに含む、概念１８に記載のコンピュータ実装方法。
概念２１．前記第１のサブセットの前記映像メッセージを再生するためにアクセスを購入するようにユーザを前記促すことは、一回の有料申し込みを購入することを前記ユーザに促すことをさらに含む、概念１８に記載のコンピュータ実装方法。
概念２２．映像メッセージの再生中にコールバックするためのコンピュータ実装方法であって、
第１の装置において映像メッセージを閲覧することであって、前記映像メッセージは、第２の装置のユーザからのものである、閲覧することと、
前記映像メッセージを閲覧している間に、前記第２の装置の前記ユーザを呼び出すように前記第１の装置のユーザに促すことと、を含む、コンピュータ実装方法。
【図１】
2015504642.tif 000003
【図２】
2015504642.tif 000004
【図３】
2015504642.tif 000005
【図４】
2015504642.tif 000006
【図５】
2015504642.tif 000007
【図６】
2015504642.tif 000008
【図７】
2015504642.tif 000009
【図８】
2015504642.tif 000010
【図９】
2015504642.tif 000011
【図１０】
2015504642.tif 000012
【図１１】
2015504642.tif 000013
【図１２】
2015504642.tif 000014
【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
映像メッセージ通信のためのコンピュータ実装方法であって、
装置において受信者への映像メッセージを記録することと、
前記装置においてタイプ入力を必要とすることなく、前記装置において前記映像メッセージの受信者としての連絡先を選択することと、を含む、前記コンピュータ実装方法。
【請求項２】
装置における映像メッセージの前記記録は、
前記装置において複数の受信者への前記映像メッセージを記録することをさらに含む、請求項１に記載のコンピュータ実装方法。
【請求項３】
前記映像メッセージの受信者としての連絡先の前記選択は、連絡先一覧内の連絡先を選択することをさらに含む、請求項１に記載のコンピュータ実装方法。
【請求項４】
前記映像メッセージの受信者としての連絡先の前記選択は、連絡先一覧内の複数の連絡先を選択することをさらに含む、請求項１に記載のコンピュータ実装方法。
【請求項５】
前記映像メッセージの前記記録は、前記受信者としての前記連絡先の前記選択の前に発生する、請求項１に記載のコンピュータ実装方法。
【請求項６】
前記映像メッセージの前記連絡先の前記選択は、前記映像メッセージの前記記録の前に発生する、請求項１に記載のコンピュータ実装方法。
【請求項７】
前記映像メッセージを前記受信者に送信することをさらに含む、請求項１に記載のコンピュータ実装方法。
【請求項８】
第２の装置のビデオ表示パラメータに基づき、前記映像メッセージをフォーマットすることをさらに含む、請求項１に記載のコンピュータ実装方法。
【請求項９】
タイムアウトに応答して前記映像メッセージを生成するように促すことをさらに含む、請求項１に記載のコンピュータ実装方法。
【請求項１０】
呼び出しの終了に応答して、前記映像メッセージを生成するように促すことをさらに含む、請求項１に記載のコンピュータ実装方法。
【請求項１１】
映像メッセージ通信のためのコンピュータ実装方法であって、
装置において受信者の映像メッセージを記録することと、
前記装置において前記映像メッセージの受信者としての連絡先を選択することと、
前記受信者の呼び出しを必要とすることなく、前記映像メッセージを前記受信者に送信することと、を含む、前記コンピュータ実装方法。
【請求項１２】
前記映像メッセージの前記記録は、前記受信者としての前記連絡先の前記選択前に発生する、請求項１１に記載のコンピュータ実装方法。
【請求項１３】
前記映像メッセージの前記連絡先の前記選択は、前記映像メッセージの前記記録の前に発生する、請求項１１に記載のコンピュータ実装方法。
【請求項１４】
映像メッセージを生成するように促すためのコンピュータ実装方法であって、
第１の装置と第２の装置の間の通信を始めることと、
所定のタイムアウトを開始することと、
前記タイムアウトの終了に応答して、前記第１の装置において映像メッセージを生成することを促すことと、を含む、前記コンピュータ実装方法。
【請求項１５】
第１の装置と第２の装置の間の通信を前記始めることは、前記第１の装置のユーザが前記第２の装置のユーザを呼び出すことをさらに含む、請求項１４に記載のコンピュータ実装方法。
【請求項１６】
映像メッセージを生成するように促すためのコンピュータ実装方法であって、
第１の装置から第２の装置への呼び出しを始めることと、
前記第１の装置において前記呼び出しを終了させることと、
前記呼び出しの終了に応答して、前記第１の装置において映像メッセージを生成するように促すことと、を含む、前記コンピュータ実装方法。
【請求項１７】
前記第１の装置における前記呼び出しの前記終了は、前記第２の装置が前記呼び出しに応答する前に、前記第１の装置における前記呼び出しを終了させることをさらに含む、請求項１６に記載のコンピュータ実装方法。
【請求項１８】
映像メッセージ通信の収益化のためのコンピュータ実装方法であって、
映像メッセージの一覧を表示することであって、前記一覧内の前記映像メッセージの第１のサブセットは再生のためにアクセス可能ではない、表示することと、
前記映像メッセージの選択を許可することと、
前記第１のサブセットの映像メッセージの選択に応答して、ユーザによって選択される前記第１のサブセットの前記映像メッセージを再生するために、アクセスを購入するように前記ユーザに促すことと、を含む、コンピュータ実装方法。
【請求項１９】
前記第１のサブセットの前記映像メッセージを再生するためにアクセスを購入するようにユーザを前記促すことは、反復的申し込みを購入するように前記ユーザに促すことをさらに含む、請求項１８に記載のコンピュータ実装方法。
【請求項２０】
前記第１のサブセットの前記映像メッセージを再生するためにアクセスを購入するようにユーザを前記促すことは、非反復的トライアル申し込みを購入するように前記ユーザに促すことをさらに含む、請求項１８に記載のコンピュータ実装方法。
【請求項２１】
前記第１のサブセットの前記映像メッセージを再生するためにアクセスを購入するようにユーザを前記促すことは、一回の有料申し込みを購入することを前記ユーザに促すことをさらに含む、請求項１８に記載のコンピュータ実装方法。
【請求項２２】
映像メッセージの再生中にコールバックするためのコンピュータ実装方法であって、
第１の装置において映像メッセージを閲覧することであって、前記映像メッセージは、第２の装置のユーザからのものである、閲覧することと、
前記映像メッセージを閲覧している間に、前記第２の装置の前記ユーザを呼び出すように前記第１の装置のユーザに促すことと、を含む、コンピュータ実装方法。
【請求項２３】
映像メッセージ通信のためのコンピュータ実装方法であって、
第１の装置において受信者への映像メッセージを記録することと、
前記第１の装置において前記映像メッセージの受信者としての連絡先を選択することと、
前記映像メッセージを前記受信者に送信しようと試みることと、
前記第１の装置によって、前記映像メッセージを前記受信者に送信しようと前記試みることに応答して所定のタイムアウトを開始することと、
前記第１の装置によって、前記第１の装置の表示画面上に表示されるプロンプトを用いて、前記所定のタイムアウトの終了に応答して前記ユーザにビデオメッセージを生成することを促すことと、を含む、コンピュータ実装方法。
【国際調査報告】
2015504642.tif 000015
2015504642.tif 000016
2015504642.tif 000017
2015504642.tif 000018
2015504642.tif 000019
2015504642.tif 000020